【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
画素ごとに有する階調値により画像を表す画像データを補正して、補正された画像データに基づき光源から発光された光を変調する空間光変調器を備えた画像表示装置であって、
第１の設定および第２の設定を少なくとも含む複数の設定のうちから、設定を選択する設定選択部と、
前記選択した設定に対応して、前記光源が発する光量を制御するための第１の調光率を設定する調光率設定部と、
前記画像データを取得する画像データ取得部と、
前記第１の調光率に従う光量の制御により前記空間光変調器で変調された光に生じる明るさの変化を減少させるように、前記画像データの階調値を制御する明るさ補正部と、
前記第１の調光率に基づいて、前記光源が発する光量を制御する光量制御部と、を備えることを特徴とする画像表示装置。
【請求項２】
請求項１に記載の画像表示装置において、
前記複数の設定から第１の設定を選択している場合、前記調光率設定部は、前記光源が発する光量を所定の光量より減光させる制御を行うための第１の調光率を設定することを特徴とする画像表示装置。
【請求項３】
請求項１または２に記載の画像表示装置において、
前記複数の設定から第２の設定を選択している場合、前記調光率設定部は、前記画像データの階調値の大きさに合わせて、前記第１の調光率の値を変化させることを特徴とする画像表示装置。
【請求項４】
請求項１ないし３のいずれか一項に記載の画像表示装置において、
前記画像データについて、画素の階調値が分布している範囲を拡大させるように階調値を変換する階調変換部を更に備え、
前記明るさ補正部は、前記変換および前記第１の調光率に従う光量の制御によって前記空間光変調器で変調された光に生じる明るさの変化を減少させるように、前記変換された画像データの階調値を制御することを特徴とする画像表示装置。
【請求項５】
請求項４に記載の画像表示装置において、
前記明るさ補正部は、
前記補正された画像データの階調値の平均値と前記第１の調光率との積が、前記変換する前の画像データの階調値の平均値に近づくように、前記変換された画像データの階調値を補正することを特徴とする画像表示装置。
【請求項６】
請求項１ないし５のいずれか一項に記載の画像表示装置であって、
前記明るさ補正部は、補正される前の画像データの階調値を所定の基準階調値に近づけるように補正したときに前記空間光変調器で変調された光に生じる明るさ、からの変化を減少させるように、前記補正される前の画像データの階調値を補正することを特徴とする画像表示装置。
【請求項７】
請求項６に記載の画像表示装置において、
前記明るさ補正部は、前記補正された画像データの階調値の平均値と前記第１の調光率との積が、補正される前の画像データの階調値を所定の基準階調値に近づけるように補正したときの階調値の平均値に近づくように、前記補正される前の画像データの階調値を補正することを特徴とする画像表示装置。
【請求項８】
請求項１ないし７のいずれか一項に記載の画像表示装置において、
前記明るさ補正部は、補正する前の階調値の範囲において、階調値の上限値および下限値に対しては同じ階調値に維持し、上限値と下限値との間の階調値を変更することを特徴とする画像表示装置。
【請求項９】
請求項１ないし８のいずれか一項に記載の画像表示装置において、
前記明るさ補正部は、
前記光源が発する光量を所定の光量より減光させる制御を行うための調光率を設定している場合に、補正する前の画像データの階調値の平均値より階調値が大きい範囲において、補正する前の画像データに基づき変調した光の明るさに対する、前記補正した画像データに基づき変調した光の明るさの比率が所定の比率より小さくなるときは、前記明るさの比率を前記所定の比率とすることができる第２の調光率を設定し、
前記光量制御部は、前記第２の調光率に基づいて前記光源が発する光量を制御することを特徴とする画像表示装置。
【請求項１０】
請求項１ないし９のいずれか一項に記載の画像表示装置において、
前記明るさ補正部は、
前記光源が発する光量を所定の光量より増光させる制御を行うための調光率を設定している場合に、補正する前の画像データの階調値の平均値より階調値が小さい範囲において、補正する前の画像データに基づき変調した光の明るさに対する、前記補正した画像データに基づき変調した光の明るさの比率が所定の比率より小さくなるときは、前記明るさの比率を所定の比率とすることができる第２の調光率を設定し、
前記光量制御部は、前記第２の調光率に基づいて前記光源が発する光量を制御することを特徴とする画像表示装置。
【請求項１１】
請求項２ないし１０のいずれか一項に記載の画像表示装置において、
前記設定選択部は、前記画像表示装置がバッテリに蓄積した電力により動作している場合に、前記第１の設定を選択し、前記画像表示装置の外部からの電力の供給を受けている場合に、前記第２の設定を選択することを特徴とする画像表示装置。
【請求項１２】
請求項２ないし１１のいずれか一項に記載の画像表示装置において、
前記設定選択部は、
前記画像データがテキストを表すデータであった場合に前記第１の設定を選択し、前記画像データが自然画を表すデータであった場合に前記第２の設定を選択することを特徴とする画像表示装置。
【請求項１３】
請求項１ないし１２のいずれか一項に記載の画像表示装置において、
前記第１の調光率および第２の調光率は、光に対する人間の視覚の感度特性に従った視覚上の比率を表し、
前記光量制御部は、前記調光率または前記限界調光率から、前記視覚の感度特性に基づいて、前記光源が実際に発する光量の比率を示す第３の調光率を算出して、前記第３の調
光率に従って光源を制御することを特徴とする画像表示装置。
【請求項１４】
画素ごとに有する階調値により画像を表す画像データを補正して、補正された画像データに基づき光源から発光された光を変調する空間光変調器を備えた画像表示方法であって、
第１の設定および第２の設定を少なくとも含む複数の設定のうちから、設定を選択する設定選択工程と、
前記選択した設定に対応して、前記光源が発する光量を制御するための第１の調光率を設定する調光率設定工程と、
前記画像データを取得する画像データ取得工程と、
前記第１の調光率に従う光量の制御により前記空間光変調器で変調された光に生じる明るさの変化を減少させるように、前記画像データの階調値を制御する明るさ補正工程と、
前記第１の調光率に基づいて、前記光源が発する光量を制御する光量制御工程と、を備えることを特徴とする画像表示方法。
【請求項１５】
画素ごとに有する階調値により画像を表す画像データを補正して、補正された画像データに基づき光源から発光された光を変調する空間光変調器を備えた画像表示装置に、画像を表示させるための画像表示プログラムであって、
前記画像表示装置のコンピュータを、
第１の設定および第２の設定を少なくとも含む複数の設定のうちから、設定を選択する設定選択部、
前記選択した設定に対応して、前記光源が発する光量を制御するための第１の調光率を設定する調光率設定部、
前記画像データを取得する画像データ取得部、
前記第１の調光率に従う光量の制御により前記空間光変調器で変調された光に生じる明るさの変化を減少させるように、前記画像データの階調値を制御する明るさ補正部、及び、
前記第１の調光率に基づいて、前記光源が発する光量を制御する光量制御部、として機能させることを特徴とする画像処理プログラム。